(57)【特許請求の範囲】
【請求項１】
暦が印刷された複数枚の暦印刷シートがベースシートの表面側に重ねられたカレンダーにおいて、
前記ベースシートの表面側には、時刻表示用の指針が露出した状態で配置されている一方、
前記ベースシートの裏面側には、前記ベースシートを貫通する回転軸を介して前記指針を駆動する計時装置が搭載され、
前記複数枚の全ての暦印刷シート、あるいは前記複数枚の暦印刷シートのうち最も下に重ねられた暦印刷シートを除く暦印刷シートには、前記指針の回転領域と重なる領域に前記指針を視認可能とする時刻表示窓が形成され、
前記暦印刷シートには、前記時刻表示窓の周りに時刻表示用の指標が等角度間隔に付され、かつ、
該指標の形態は、前記暦印刷シート毎に相違することを特徴とする時計付きカレンダー。
【請求項２】
請求項１において、前記指針および前記時刻表示窓は、前記暦印刷シートの暦印刷領域を除く領域の略中央に配置されていることを特徴とする時計付きカレンダー。
【発明の詳細な説明】
【０００１】
【発明の属する技術分野】
本発明は、暦が印刷された複数枚の暦印刷シートがベースシートに重ねられたカレンダーに関するものである。さらに詳しくは、暦の表示と時刻の表示とを行うことのできる時計付きカレンダーに関するものである。
【０００２】
【従来の技術】
各種のカレンダーのうち、複数枚の暦印刷シートによって１年分の暦を表示するカレンダーでは、一ヵ月分の暦が印刷された１２枚の暦印刷シート、二ヵ月分の暦が印刷された６枚の暦印刷シート、三ヵ月分の暦が印刷された４枚の暦印刷シート、四ヵ月分の暦が印刷された３枚の暦印刷シート、あるいは六月分の暦が印刷された２枚の暦印刷シートがベースシートの表面に重ねられた状態で、端部同士が綴じられた状態にある。
【０００３】
【発明が解決しようとする課題】
このようなカレンダーにおいて時刻を表示できれば便利であるが、前記のカレンダーにおいて台紙上に時計を取り付けても、その表面に暦印刷シートを重ねると、表示された時刻が見えなくなる。従って、従来は、時計付きのカレンダーといえば、１枚の暦印刷シートに一年分の暦が印刷されたものに限られている。
【０００４】
そこで、本発明の課題は、複数枚の暦印刷シートがベースシートの表面側に重ねられたカレンダーにおいても、時刻表示を可能とする構成を提供することにある。
【０００５】
【課題を解決するための手段】
上記課題を解決するために、本発明では、暦が印刷された複数枚の暦印刷シートがベースシートの表面側に重ねられた時計付きカレンダーにおいて、前記ベースシートの表面側には、時刻表示用の指針が露出した状態で（すなわち、時計カバーで覆われることなく）、配置されている一方、前記ベースシートの裏面側には、前記ベースシートを貫通する回転軸を介して前記指針を駆動する計時装置が搭載され、前記複数枚の全ての暦印刷シート、あるいは前記複数枚の暦印刷シートのうち最も下に重ねられた暦印刷シートを除く暦印刷シートには、前記指針の回転領域と重なる領域に前記指針を視認可能とする時刻表示窓が形成され、前記暦印刷シートには、前記時刻表示窓の周りに時刻表示用の指標が等角度間隔に付され、かつ、該指標の形態を前記暦印刷シート毎に相違させたことを特徴とする。
【０００６】
本発明に係る時計付きカレンダーでは、複数枚の暦印刷シートが綴じられたベースシートの表面側に時刻表示用の指針が配置されている一方、ベースシートに重ねられた暦印刷シートには、指針の回転領域と重なる領域に時刻表示窓が形成されているので、ベースシートの表面側に暦印刷シートが重ねられている状態であっても、時刻表示窓を介して指針を見ることができる。従って、時刻表示窓を介して見た指針と、暦印刷シートに付された指標とから時刻を知ることができる。また、指針の回転領域と重なる領域に時刻表示窓が形成されているので、該当する月が終わったときに暦印刷シートをめくるのに支障がない。
【０００７】
また、本発明に係る時計付きカレンダーは、暦印刷シートをめくる度に新たなデザインの文字板を有する指針式時計として使用できる。
【０００８】
すなわち、指針式の表示機構自身は共通であるが、文字板としても機能させる暦印刷シート毎に時刻表示用の指標を相違させてあるため、暦印刷シートをめくる度に新たなデザインの文字板を有する指針式時計として使用できる。
【０００９】
本発明において、前記指針および前記時刻表示窓、すなわち、時刻表示部は、前記暦印刷シートの暦印刷領域を除く領域の略中央に配置されていることが好ましい。本発明に係る時計付きカレンダーでは、時刻表示部をいずれの位置に配置しても、表示された時刻を見たり、暦印刷シートをめくるのに支障はないが、前記暦印刷シートの暦印刷領域を除く領域の略中央に時刻表示部を配置すれば、時刻の見やすさや意匠性の向上を図ることがことができる。
【００１０】
【発明の実施の形態】
以下に、図面を参照して、本発明の好適な実施の形態を説明する。
【００１１】
図１（Ａ）、（Ｂ）はそれぞれ、本形態に係る時計付きカレンダーの斜視図および側面図である。図２は、この時計付きカレンダーの分解斜視図である。
【００１２】
図１（Ａ）および図２において、本形態の時計付きカレンダー１は、二ヵ月分の暦が印刷された６枚の暦印刷シート２０（２１、２２、２３、２４、２５、２６）が厚手の台紙３（ベースシート）上に重ねられ、かつ、各端部がコイル状の線材５によって綴られている。これらの暦印刷シート２０のうち、最も下側に重ねられた暦印刷シート２１には、その下半部分に１１月分、１２月分の暦２１０が印刷されている。また、他の暦印刷シート２２、２３、２４、２５、２６の下半部分には、１０月、９月の二ヵ月分の暦２２０、８月、７月の二ヵ月分の暦２３０、６月、５月の二ヵ月分の暦２４０、４月、３月の二ヵ月分の暦２５０、２月、１月の二ヵ月分の暦２６０がそれぞれ印刷されている。
【００１３】
このように構成したカレンダー１において、本形態では、図１（Ｂ）に示すように、台紙３の裏面側には計時装置３０が取り付けられ、かつ、この計時装置３０から突出する軸部３１は、台紙３の小孔３０９を貫通して表面側に突き出ている。ここで、台紙３に対する計時装置３０の取り付け位置は、暦印刷シート２０の上半部（暦印刷シート２０の暦印刷領域を除く領域）の略中央位置である。
【００１４】
本形態では、６枚の暦印刷シート２０のうち、最も下側に重ねられた１１月、１２月用の暦印刷シート２１にも、軸部３１が貫通する小さな孔２１９が形成され、計時装置３０の軸部３１は、暦印刷シート２１の孔２１９を貫通して暦印刷シート２１の表面にまで達している。このようにして、台紙３の小孔３０９および暦印刷シート２１の孔２１９を貫通した計時装置３０の軸部３１には、暦印刷シート２１および台紙３を両側から挟むように一対のナットが止められ、計時装置３０は台紙３および暦印刷シート２１に固定された状態にある。
【００１５】
ここで用いた計時装置３０は、周知のものを用いることができるので、詳細な図示および説明を省略するが、ボックス状のケース３２内に、電池によって駆動されるステップモータや、このステップモータからの出力が伝達される時計用輪列などを備えており、この時計用輪列に機構的に接続する各回転軸が軸部３１内に通されている。また、各回転軸の先端には、時針３５、分針３６、秒針３７がそれぞれ固着されている。従って、ステップモータの出力が時計用輪列および回転軸に伝達されると、この回転軸の各先端で時針３５、分針３６、秒針３７が１１月、１２月用の暦印刷シート２１の上面で回転し、指針式の時刻表示機構３８（時刻表示部）として機能する。
【００１６】
再び図２において、６枚の暦印刷シート２０のうち、１１月、１２月用の暦印刷シート２１の上半部（暦印刷シート２０の暦印刷領域を除く領域）の略中央領域において時針３５、分針３６、秒針３７の回転領域と重なる位置には、円形の背景パターン３３が印刷されている。
【００１７】
これに対して、６枚の暦印刷シート２０のうち、１１月、１２月用の暦印刷シート２１を除く５枚の暦印刷シート２２、２３、２４、２５、２６には、その上半部の略中央領域において時針３５、分針３６、秒針３７の回転領域と重なる位置に矩形の時刻表示窓２２５、２３５、２４５、２５５、２６５が形成されている。従って、暦印刷シート２１および台紙３に対して計時装置３０を搭載した後、１１月、１２月用の暦印刷シート２１の上面に、暦印刷シート２２、２３、２４、２５、２６を重ねていっても、時針３５、分針３６、秒針３７は、各暦印刷シート２２、２３、２４、２５、２６の時刻表示窓２２５、２３５、２４５、２５５、２６５から露出している状態にある。
【００１８】
それ故、図３に示すように、最も上に重ねた１月、２月の暦印刷シート２６の時刻表示窓２６５からは時針３５、分針３６、秒針３７を見ることができる。ここで、時針３５、分針３６、秒針３７の背景のうち、時刻表示窓２６５の内側に相当する部分は、１１月、１２月用の暦印刷シート２１に印刷されている背景パターン３３である。また、１月、２月用の暦印刷シート２６において、時刻表示窓２６５の周りを１２等分する各角度位置には「１」「２」「３」・・・からなる指標２６６が印刷され、かつ、これらの数字の間には「＋」からなる指標２６７が付されている。従って、暦印刷シート２６の上半部は時計の文字板になっている。従って、１月、２月の２か月間、本形態の時計付きカレンダー１は、図３に示す形態の掛け時計として使用できる。
【００１９】
この状態から１月、２月用の暦印刷シート２６をめくると、その下からは、図４に示す３月、４月用の暦印刷シート２５が現れる。この際において、１月、２月用の暦印刷シート２６には時刻表示窓２６５が形成されていたので、暦印刷シート２６をめくるのに時針３５、分針３６、秒針３７が邪魔にならない。
【００２０】
また、図４に示すように、３月、４月用の暦印刷シート２５の時刻表示窓２５５からも時針３５、分針３６、秒針３７を見ることができる。この３月、４月用の暦印刷シート２５において、時刻表示窓２５５の周りを１２等分する角度位置には棒状の「マーク」からなる指標２５７が付され、かつ、時刻表示窓２５５の周りを６等分する角度位置には「２」「４」「６」・・・からなる指標２６６が印刷されている。従って、暦印刷シート２６の上半部は時計の文字板になっている。但し、指標２６の中心位置は時刻表示窓２５５の中心からずれ、かつ、文字の大きさもそれぞれ相違するなど、３月、４月用の暦印刷シート２６の上半部は、１月、２月用の暦印刷シート２６とは異なる文字板を構成している。従って、３月、４月の２か月間、本形態の時計付きカレンダー１は、図４に示す形態の掛け時計として使用できる。
【００２１】
この状態から３月、４月用の暦印刷シート２５をめくると、その下からは、図５に示す５月、６月用の暦印刷シート２４が現れるが、この暦印刷シート２４の時刻表示窓２４５からも時針３５、分針３６、秒針３７を見ることができる。また、この暦印刷シート２４には、時刻表示窓の周りを１２等分する角度位置には、「Ｏｎｅ」「Ｔｗｏ」「Ｔｈｒｅｅ」・・・からなる指標２４６が印刷され、暦印刷シート２４の上半部は、１月から４月とは異なる形態の時計の文字板になっている。従って、５月、６月の２か月間、本形態の時計付きカレンダー１は、図５に示す形態の掛け時計として使用できる。
【００２２】
この状態から５月、６月用の暦印刷シート２４をめくると、その下からは、図６に示す７月、８月用の暦印刷シート２３が現れるが、この暦印刷シート２３の時刻表示窓２３５からも時針３５、分針３６、秒針３７を見ることができる。また、この暦印刷シート２３には、時刻表示窓の周りを１２等分する角度位置には、「１：００」「２：００」「３：００」・・・からなる指標２３６が印刷され、暦印刷シート２３の上半部は、１月から６月とは異なる形態の時計の文字板になっている。従って、７月、８月の２か月間、本形態の時計付きカレンダー１は、図６に示す形態の掛け時計として使用できる。
【００２３】
この状態から７月、８月用の暦印刷シート２３をめくると、その下からは、図７に示す９月、１０月用の暦印刷シート２２が現れるが、この暦印刷シート２２の時刻表示窓２２５からも時針３５、分針３６、秒針３７を見ることができる。また、この暦印刷シート２２には、時刻表示窓の周りを１２等分する角度位置には、「Ｉ」「ＩＩ」「ＩＩＩ  」・・・からなる指標２２６が印刷され、暦印刷シート２２の上半部は、１月から８月とは異なる形態の時計の文字板になっている。従って、９月、１０月の２か月間、本形態の時計付きカレンダー１は、図７に示す形態の掛け時計として使用できる。
【００２４】
この状態から９月、１０月用の暦印刷シート２２をめくると、その下からは、図８に示す１１月、１２月用の暦印刷シート２１が現れる。この暦印刷シート２１の表面には時針３５、分針３６、秒針３７が位置しているので、これらの指針を直接、見ることができる。また、この暦印刷シート２１には、時刻表示窓の周りを１２等分する角度位置には、「０１」「０２」「０３」・・・からなる指標２１６が印刷され、暦印刷シート２１の上半部は、１月から１０月とは異なる形態の時計の文字板になっている。従って、１１月、１２月の２か月間、本形態の時計付きカレンダー１は、図８に示す形態の掛け時計として使用できる。
【００２５】
なお、１１月、１２月の暦印刷シート２１は、翌１月になってもめくる必要がないので、暦印刷シート２１には時刻表示窓が形成されていない。
【００２６】
このように、本形態の時計付きカレンダー１では、台紙３および１１月、１２月の暦印刷シート２１の表面側に時刻表示用の指針（時針３５、分針３６、秒針３７）が配置されているが、それに重ねられた暦印刷シート２２、２３、２４、２５、２６には、これらの時刻表示用の指針の回転領域と重なる領域に時刻表示窓２２５、２３５、２４５、２５５、２６５が形成されているので、暦印刷シート２２、２３、２４、２５、２６によって暦の表示を行っている期間においても、時刻表示窓２２５、２３５、２４５、２５５、２６５を介して指針による時刻表示を見ることができる。また、該当する月が終わったときに暦印刷シート２２、２３、２４、２５、２６をめくるときでも、暦印刷シート２２、２３、２４、２５、２６には時刻表示窓２２５、２３５、２４５、２５５、２６５が形成されているので、暦印刷シート２２、２３、２４、２５、２６をめくるのを時刻表示用の指針が妨げない。
【００２７】
また、本形態の時計付きカレンダー１では、暦印刷シート２１、２２、２３、２４、２５、２６において暦印刷領域を除く領域の略中央に時刻表示用の大きな指針を配置したので、時刻の見やすさと意匠性の双方について向上を図ることができる。
【００２８】
さらに、暦印刷シート２０には、あたかも時計の文字板のように、指標２１６、２２６、２３６、２４６、２５６、２５７、２６６、２６７を印刷し、かつ、これらの指標の形態を暦印刷シート２０毎に相違させてある。
【００２９】
それ故、時刻表示用の指針については共通であるが、その背景（文字板）については暦印刷シート２０をめくる度に切り換わるので、暦印刷シート２０をめくる度に新たなデザインの時計を演出できる。
【００３０】
［その他の形態］
なお、１１月、１２月の暦印刷シート２０と台紙３とを別のシートとしたが、１１月、１２月の暦を台紙３自身に印刷してもよい。
【００３１】
さらに、上記形態では、二ヵ月分の暦が印刷された６枚の暦印刷シート２０を備えるカレンダー１であったが、一ヵ月分の暦が印刷された１２枚の暦印刷シート２０、三ヵ月分の暦が印刷された４枚の暦印刷シート２０、四ヵ月分の暦が印刷された３枚の暦印刷シート２０、あるいは六月分の暦が印刷された２枚の暦印刷シート２０を備えるカレンダー１などに対して本発明を適用してもよい。
【００３２】
【発明の効果】
以上説明したように、本発明に係る時計付きカレンダーでは、複数枚の暦印刷シートが綴じられたベースシートの表面側に時刻表示用の指針が配置されている一方、暦印刷シートには、指針の回転領域と重なる領域に時刻表示窓が形成されているので、ベースシートの表面側に暦印刷シートが重ねられている状態であっても、時刻表示窓を介して時刻を見ることができる。また、該当する月が終わったときに暦印刷シートを剥がしたり、裏に折り返す際でも、暦印刷シートには、指針の回転領域と重なる領域に時刻表示窓が形成されているので、指針は暦印刷シートを剥がしたり、裏面に折り返すのを妨げない。さらに、暦印刷シートを文字板として機能させるために付した指標の形態が暦印刷シート毎に相違しているので、暦印刷シートをめくる度に、新たなデザインの文字板が現れ、意匠の異なる指針式時計となるという効果も奏する。
【図面の簡単な説明】
【図１】（Ａ）、（Ｂ）はそれぞれ、本発明を適用した時計付きカレンダーの斜視図および側面図である。
【図２】図１に示す時計付きカレンダーの分解斜視図である。
【図３】図１に示す時計付きカレンダーに用いた１月、２月用の暦印刷シートの平面図である。
【図４】図１に示す時計付きカレンダーに用いた３月、４月用の暦印刷シートの平面図である。
【図５】図１に示す時計付きカレンダーに用いた５月、６月用の暦印刷シートの平面図である。
【図６】図１に示す時計付きカレンダーに用いた７月、８月用の暦印刷シートの平面図である。
【図７】図１に示す時計付きカレンダーに用いた９月、１０月用の暦印刷シートの平面図である。
【図８】図１に示す時計付きカレンダーに用いた１１月、１２月用の暦印刷シートの平面図である。
【符合の説明】
１    時計付きカレンダー
３    台紙（ベースシート）
５    コイル状の線材
２０、２１、２２、２３、２４、２５、２６  暦印刷シート
３０  計時装置
３１  計時装置の軸部
３３  背景パターン
３５  時針
３６  分針
３７  秒針
２１０、２２０、２３０、２４０、２５０、２６０  暦
２１６、２２６、２３６、２４６、２５６、２５７、２６６、２６７  指標
２１９、３０９  軸部を通す孔
２２５、２３５、２４５、２５５、２６５  時刻表示窓
【図１】
0003608948.tif 000002
【図２】
0003608948.tif 000003
【図３】
0003608948.tif 000004
【図４】
0003608948.tif 000005
【図５】
0003608948.tif 000006
【図６】
0003608948.tif 000007
【図７】
0003608948.tif 000008
【図８】
0003608948.tif 000009